(57)【要約】【課題】この発明は、まだ電子番組表を作成するための番組情報が配信されていない日時について、電子番組表の表示が要求された場合、その旨をユーザに通知して、電子番組表が表示されないことを迅速に認識させるようにした番組表表示装置及び番組表表示方法を提供することを目的としている。【解決手段】番組情報に基づいて作成された電子番組表を、画面上で移動可能に表示させる。そして、表示された電子番組表について、まだ番組情報が配信されていない日時に対応する部分が画面上に表示されるように移動させることが要求されたとき、番組情報が存在しない旨を通知する。【選択図】      図６
2008219162.tif 000002
【特許請求の範囲】
【請求項１】
番組情報を取得する取得手段と、
前記取得手段で取得された番組情報に基づいて電子番組表を作成する作成手段と、
前記作成手段で作成された電子番組表を画面上で移動可能に表示させる表示手段と、
前記表示手段で表示された電子番組表について、まだ番組情報が配信されていない日時に対応する部分が画面上に表示されるように移動させることが要求されたことを検出する検出手段と、
前記検出手段の検出結果に基づいて番組情報が存在しない旨を通知する通知手段とを具備することを特徴とする番組表表示装置。
【請求項２】
前記通知手段は、前記表示手段で表示された電子番組表について、要求された日時に対応する領域への移動ができない旨の通知を行なうことを特徴とする請求項１記載の番組表表示装置。
【請求項３】
前記通知手段は、映像及び音声のいずれかによる通知を行なうことを特徴とする請求項１記載の番組表表示装置。
【請求項４】
前記検出手段は、前記取得手段で取得された番組情報に基づいて、前記作成手段で作成される電子番組表の日時範囲を決定し、この決定された日時範囲と要求された日時とに基づいて検出を行なうことを特徴とする請求項１記載の番組表表示装置。
【請求項５】
前記取得手段で取得された番組情報に基づいて形成された、日付軸と時間軸とでなる特定の日時範囲を示す面を、日付単位及び所定時間単位で分割することによって複数の単位指定領域を配列した日時指定切換画面を表示させる指定画面表示手段と、
前記指定画面表示手段で表示された日時指定切換画面上で所定の単位指定領域を選択可能とする選択手段と、
前記選択手段で選択された単位指定領域で指定される日時に対応する部分の前記電子番組表を画面表示させる表示制御手段と、
前記日時指定切換画面内の日付単位で分割された各領域のうち、まだ番組情報が配信されていない日時に対応する部分に、番組情報が存在しない旨を表示する通知表示手段とを具備することを特徴とする請求項１記載の番組表表示装置。
【請求項６】
放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を出力する出力手段と、
番組情報を取得する取得手段と、
前記取得手段で取得された番組情報に基づいて電子番組表を作成する作成手段と、
前記作成手段で作成された電子番組表を画面上で移動可能に表示させる表示手段と、
前記表示手段で表示された電子番組表について、まだ番組情報が配信されていない日時に対応する部分が画面上に表示されるように移動させることが要求されたことを検出する検出手段と、
前記検出手段の検出結果に基づいて番組情報が存在しない旨を通知する通知手段とを具備することを特徴とする放送受信装置。
【請求項７】
番組情報を取得する第１の工程と、
前記第１の工程で取得された番組情報に基づいて電子番組表を作成する第２の工程と、
前記第２の工程で作成された電子番組表を画面上で移動可能に表示させる第３の工程と、
前記第１の工程で取得された番組情報に基づいて、前記第２の工程で作成される電子番組表の日時範囲を決定する第４の工程と、
前記第４の工程で決定された日時範囲に基づいて、前記第３の工程で表示された電子番組表について、まだ番組情報が配信されていない日時に対応する部分が画面上に表示されるように移動させることが要求されたことを検出する第５の工程と、
前記第５の工程の検出結果に基づいて番組情報が存在しない旨を通知する第６の工程とを具備することを特徴とする番組表表示方法。
【発明の詳細な説明】
【技術分野】
【０００１】
この発明は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（electronic program guide）情報に基づいて電子番組表を作成し、画面に映像表示している。そして、ユーザは、映像表示された電子番組表から所望の番組を選択して、視聴や録画予約等を行なうことができる。
【０００４】
ところで、現在、デジタルテレビジョン放送において、ＥＰＧ情報には、放送される多数のチャンネルのそれぞれに対して、１週間先までの電子番組表を作成可能な情報が含まれている。また、ラジオ放送の場合、ＥＰＧ情報には、放送される各チャンネルのそれぞれに対して、３日先までの電子番組表を作成可能な情報が含まれている。
【０００５】
このため、デジタル放送受信装置においては、限られた画面内に全ての電子番組表を同時に表示させることはできないので、電子番組表を部分的に切り換えながら画面表示させることになる。この場合、いかにユーザに見易い形態で効率良く表示できるように工夫を施すかが重要となる。
【０００６】
特許文献１には、複数の情報提供システムにおける各番組情報を統合して電子番組表を作成表示し、カーソルがスクロール範囲の始端または終端に達すると、一方の番組情報リストにおけるスクロールから他方の番組情報リストにおけるスクロールに自動的に切り替えるようにした構成が開示されている。
【０００７】
また、特許文献２には、各番組の代表画面を縮小した静止画をカテゴリ毎に区分して帯状に配列表示し、帯状配列の端部の静止画に位置しているカーソルにさらに外側方向への移動が指令されたとき、他のカテゴリの静止画が表示されるように、各静止画全体を帯に沿ってスクロールさせるようにした構成が開示されている。
【特許文献１】特開２００１−００８１１９号公報
【特許文献２】特開平０９−０３７１８１号公報
【発明の開示】
【発明が解決しようとする課題】
【０００８】
そこで、この発明は上記事情を考慮してなされたもので、まだ電子番組表を作成するための番組情報が配信されていない日時について、電子番組表の表示が要求された場合、その旨をユーザに通知して、電子番組表が表示されないことを迅速に認識させるようにした番組表表示装置及び番組表表示方法を提供することを目的とする。
【課題を解決するための手段】
【０００９】
この発明に係る番組表表示装置は、番組情報を取得する取得手段と、取得手段で取得された番組情報に基づいて電子番組表を作成する作成手段と、作成手段で作成された電子番組表を画面上で移動可能に表示させる表示手段と、表示手段で表示された電子番組表について、まだ番組情報が配信されていない日時に対応する部分が画面上に表示されるように移動させることが要求されたことを検出する検出手段と、検出手段の検出結果に基づいて番組情報が存在しない旨を通知する通知手段とを備えるようにしたものである。
【００１０】
また、この発明に係る番組表表示方法は、番組情報を取得する第１の工程と、第１の工程で取得された番組情報に基づいて電子番組表を作成する第２の工程と、第２の工程で作成された電子番組表を画面上で移動可能に表示させる第３の工程と、第１の工程で取得された番組情報に基づいて、第２の工程で作成される電子番組表の日時範囲を決定する第４の工程と、第４の工程で決定された日時範囲に基づいて、第３の工程で表示された電子番組表について、まだ番組情報が配信されていない日時に対応する部分が画面上に表示されるように移動させることが要求されたことを検出する第５の工程と、第５の工程の検出結果に基づいて番組情報が存在しない旨を通知する第６の工程とを備えるようにしたものである。
【発明の効果】
【００１１】
上記した発明によれば、まだ電子番組表を作成するための番組情報が配信されていない日時について、電子番組表の表示が要求された場合、その旨をユーザに通知して、電子番組表が表示されないことを迅速に認識させるようにすることができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、一対のスピーカ１５，１５、操作部１６、リモートコントローラ１７から送信される操作情報を受ける受光部１８等が設置されている。
【００１４】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード［ＩＣ（integrated circuit）カード］２０が着脱可能となっており、この第２のメモリカード２０に対して所定情報の記録再生が行なわれるようになっている。
【００１６】
また、このデジタルテレビジョン放送受信装置１１は、第１のＬＡＮ（local area network）端子２１、第２のＬＡＮ端子２２、ＵＳＢ（universal serial bus）端子２３及びｉ．Link端子２４という、４種類の外部機器接続用の端子を備えている。
【００１７】
このうち、第１のＬＡＮ端子２１は、ＬＡＮ対応ＨＤＤ（hard disk drive）専用ポートとして使用されるもので、接続されたＮＡＳ（network attached storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内蔵のＤＶＤ（digital versatile disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
なお、このＵＳＢ端子２３に代えて、ＨＤＭＩ（high definition multimedia interface）端子を設置し、ＨＤＭＩ規格に準拠した形態で外部機器を接続して情報伝送を行なうようにしてもよいものである。
【００２４】
さらに、上記ｉ．Link端子２４は、例えばＡＶ（audio visual）−ＨＤＤ４１、Ｄ（digital）−ＶＨＳ（video home system）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（phase shift keying）復調器４６に供給されて、デジタルの映像信号及び音声信号に復調された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（orthogonal frequency division multiplexing）復調器５１に供給されて、デジタルの映像信号及び音声信号に復調された後、上記信号処理部４７に出力される。
【００２９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３１】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３２】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３３】
このうち、グラフィック処理部５４は、信号処理部４７から供給されるデジタルの映像信号に、ＯＳＤ（on screen display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３４】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３５】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３６】
ここで、このデジタルテレビジョン放送受信装置１１は、上記した各種の受信動作を含むその全ての動作を制御部６１によって統括的に制御されている。この制御部６１は、ＣＰＵ（central processing unit）等を内蔵しており、前記操作部１６からの操作情報、または、前記リモートコントローラ１７から送出され受光部１８を介して受信した操作情報を受けて、その操作内容が反映されるように各部をそれぞれ制御している。
【００３７】
この場合、制御部６１は、主として、そのＣＰＵが実行する制御プログラムを格納したＲＯＭ（read only memory）６２と、該ＣＰＵに作業エリアを提供するＲＡＭ（random access memory）６３と、各種の設定情報及び制御情報等が格納される不揮発性メモリ６４とを利用している。
【００３８】
また、この制御部６１は、カードＩ／Ｆ（interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３９】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４０】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４１】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４２】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４３】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４４】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４５】
ここで、このデジタルテレビジョン放送受信装置１１では、ユーザがリモートコントローラ１７の番組表キー１７ｈを操作することにより、電子番組表を映像表示器１４に表示させることができる。
【００４６】
この電子番組表は、予め放送信号やネットワーク等を介して取得した番組情報であるＥＰＧ情報に基づいて作成されるもので、テレビジョン放送の場合、１週間先までの全番組表が作成されて、映像表示器１４で表示されるようになっている。
【００４７】
ただし、この作成された１週間分の電子番組表は、その全てが映像表示器１４に一括表示されるわけではなく、所定のチャンネル数及び所定の日時範囲でなる一定の領域が、映像表示器１４に表示されることになる。
【００４８】
そして、ユーザは、映像表示器１４の画面上で電子番組表をスクロールさせたり、映像表示器１４の１画面単位で電子番組表の表示させる領域を切り替えたりすることにより、電子番組表内の所望の領域を視認することができる。
【００４９】
なお、ユーザがリモートコントローラ１７の番組表キー１７ｈを操作したとき、映像表示器１４に最初に表示される電子番組表の領域は、前回に表示されたチャンネルや日時等のラスト条件に基づいて決定される。
【００５０】
図４は、映像表示器１４に表示された電子番組表の表示形態の一例を示している。この電子番組表は、水平方向が複数（図示の場合は６つ）の放送局（チャンネル）を配列したチャンネル軸となり、垂直方向が数時間（図示の場合は５時間）分の時間範囲に対応した時間軸となって、番組を表示している。
【００５１】
すなわち、この電子番組表は、その中央部に、６つの放送局（チャンネル）に対応して水平方向に配列された６つの番組欄を有している。これら６つの番組欄には、それぞれ、チャンネル番号０１１，０２１，１４１，１５１，１６１，１７１と、放送局名Ａ，Ｂ，Ｃ，Ｄ，Ｅ，Ｆと、番組名Ａ１〜Ａ６，Ｂ１〜Ｂ５，Ｃ１〜Ｃ５，Ｄ１〜Ｄ５，Ｅ１〜Ｅ５，Ｆ１〜Ｆ５とが記述されている。
【００５２】
また、この電子番組表では、その図中上部に、現在受信している放送の種類が地上デジタルテレビジョン放送であることを示す「地上Ｄテレビ」なる表示と、現在日時が１０月２８日の土曜日の午前９時１３分であることを示す「現在日時 １０／２８（土） ＡＭ９：１３」なる表示と、表示可能な電子番組表の日（曜日）の範囲を示す表示とが行なわれるようになっている。
【００５３】
すなわち、今、電子番組表は、現在日時が１０月２８日（土）の午前９時１３分であるため、１０月２８日（土）の午前９時から、その１週間後である１１月４日（土）の午前８時台（午前９時未満）までの分が作成されている。そして、表示可能な電子番組表の日（曜日）の範囲は、現在の日（曜日）を含めて１週間先までの日（曜日）、つまり、１０／２８（土），２９（日），３０（月），３１（火），１１／１（水），２（木），３（金），４（土）なる８日間が順次並べて表示されたものとなっている。この場合、現在表示されている電子番組表の日（曜日）を示す文字［４（土）］が、他の日（曜日）を示す文字よりも拡大して表示されるようにしている。
【００５４】
また、この電子番組表では、その図中下部に、現在選択されている（電子番組表上でカーソルによって指示されている）番組について、放送の種類（地上Ｄ）、チャンネル番号（１５１ｃｈ）、番組名（Ｄ３）及び放送時間（ＡＭ９：００〜ＡＭ９：５０）等を表示している。この場合、現在選択されている番組Ｄ３は、その電子番組表内における表示領域が他の番組の表示領域と色を変えて表示されることがカーソルで指示されていることになるが、図４では、ハッチングで囲むことにより表現している。
【００５５】
さらに、この電子番組表では、その左右に、上から下に向けて、５時間分の時間範囲を１時間単位で区切って表示するための領域が設けられている。図４では、図中上から下に向けて、午前４時台、午前５時台、午前６時台、午前７時台、午前８時台を示す５時間分が表示されている。
【００５６】
また、この電子番組表には、その図中下部に、上記リモートコントローラ１７のカラーキー１７ｍの各色（青，赤，緑，黄）にそれぞれ対応させて、その色のカラーキー１７ｍが操作されたときに実現される機能が表示されている。
【００５７】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、電子番組表を１画面単位で上下左右方向に選択的にスキップさせることが可能である。
【００５８】
この場合、時間軸方向にスクロールやスキップが行なわれると、電子番組表の左右に表示されている各時間と、６つの番組欄内に表示されている番組名とは、それぞれ移動後の時間及び番組名に変更されることになる。また、チャンネル軸方向にスクロールやスキップが行なわれた場合、６つの番組欄内に表示されている各チャンネル番号、各放送局名及び各番組名は、それぞれ移動後のチャンネル番号、放送局名及び番組名に変更されることになる。
【００５９】
ここで、今、図４に示すように、１１月４日の午前６時から１５１ｃｈで放送される番組Ｄ３がカーソルで指示されている状態で、ユーザが、カーソルを時間の経過する方向（図中下方向）に移動させるように、リモートコントローラ１７のカーソルキー１７ｆを操作したとする。
【００６０】
この場合、先にも述べたように、電子番組表は、１１月４日（土）の午前８時台（午前９時未満）までしか作成されていない、つまり、１１月４日（土）の午前９時以降の分は番組情報がないため作成されていない。
【００６１】
このため、図５に示すように、同じチャンネル（１５１ｃｈ）の午前８時台に放送される番組Ｄ５（つまり、これ以降の日時については、電子番組表上で表示する番組がない番組）がカーソルで指示され、さらに、午前９時以降の分の番組までも表示させるようにリモートコントローラ１７のカーソルキー１７ｆが操作されたとする。
【００６２】
すると、電子番組表はスクロールすることなく、図６に示すように、電子番組表の中央部分に、「現在、これ以降の番組情報がありません。」なるメッセージが自動的に表示される。これにより、ユーザは、電子番組表が表示されないことを迅速に認識することができるようになる。
【００６３】
この点について、現状では、電子番組表の作成されていない領域へのカーソルの移動が要求された場合、単に電子番組表のスクロールが停止されるだけである。このため、ユーザは、なぜスクロールしないのか不可解に思いカーソルキーを何度も操作したり、故障と判断したりすることがあった。
【００６４】
なお、取得している番組情報を超える範囲の表示が要求された場合に、ユーザに通知すべきメッセージの内容としては、図７に示すように、「現在、これ以降の番組情報がないので、指定された方向にスクロールできません。」というように、電子番組表がスクロールまたはページ切換されないことを明確に表現するものであってもよい。
【００６５】
また、図４に示すように、番組Ｄ３がカーソルで指示されている状態で、ユーザが、午前９時以降の番組を表示させるように、リモートコントローラ１７のページ切換キー１７ｉを操作したとする。
【００６６】
この場合には、図８に示すように、電子番組表の左右に表示されている時間表示領域の一番下側の表示領域に午前９時台を表示させ、その表示領域に対応する６つの番組欄を共通に使って、「現在、これ以降の番組情報がありません。」なるメッセージを表示させることができる。
【００６７】
図９は、上記したように、取得している番組情報を超える範囲の表示が要求された場合に、ユーザにメッセージを通知する処理動作をまとめたフローチャートを示している。すなわち、開始（ステップＳ１）されると、制御部６１は、ステップＳ２で、放送信号やネットワーク等を介して取得した番組情報に基づいて電子番組表を作成し表示する。
【００６８】
その後、制御部６１は、ステップＳ３で、先に取得した番組情報に基づいて、表示する電子番組表に対応する番組配信メディアの種類（テレビジョン放送、ラジオ放送等）を示す情報を取得し、ステップＳ４で、番組配信メディアの種類に応じて電子番組表で表示可能とされる日数を決定する。
【００６９】
そして、制御部６１は、ステップＳ５で、先に取得した番組情報に基づいて作成された電子番組表の範囲を超える日時についての表示が要求された場合に、その要求された部分について番組情報がない旨のメッセージを表示させて、処理を終了（ステップＳ６）する。
【００７０】
また、図４に示すように、番組Ｄ３がカーソルで指示されている状態で、ユーザが、リモートコントローラ１７の赤色のカラーキー１７ｍを操作すると、図１０に示すように、電子番組表に重畳させて日時指定切換画面が表示される。
【００７１】
この日時指定切換画面は、現在を含み水平方向に１日単位で９日分の日付（１０月２８日〜１１月５日）を配列した日付軸と、垂直方向に１時間単位で２４時間分の時間（午前０時〜午後１１時台）を配列した時間軸とによって、日時範囲を特定している。そして、この日時指定切換画面には、日付軸と時間軸とで形成された特定の日時範囲を示す面を、現在を含んで８日分の日数（１０月２８日〜１１月４日）について、１日単位の日付と１時間単位の時間とで分割することにより、８日×２４時間＝１９２個の単位指定領域７３が形成されている。
【００７２】
そして、この日時指定切換画面では、リモートコントローラ１７のカーソルキー１７ｆを操作して所定の単位指定領域７３を選択し、決定キー１７ｇを操作することにより、その単位指定領域７３に対応する日時を中心部分に据えた電子番組表を表示させることが可能となっている。この場合、選択された単位指定領域７３は、他の領域と色を変えて表示されるが、図１０では、ハッチングで表現している。
【００７３】
例えば、図４に示すように、チャンネル番号が１５１ｃｈで午前６時台の番組Ｄ３がカーソルで指示されている状態で日時指定切換画面が表示され、１１月１日の午後１２時台の単位指定領域７３が選択決定されると、１１月１日（水）について、同じチャンネル１５１ｃｈの番組欄が画面のほぼ中央部分に配され、午前６時台が画面のほぼ中央部分に配された電子番組表が表示されるようになり、電子番組表を日時指定で切り換え表示することができるようになる。
【００７４】
ここで、日時指定切換画面上においても、当然のことながら、番組情報が取得できている（電子番組表が作成されている）日時範囲、つまり、現在の日時から１週間先までの範囲内における単位指定領域７３が選択可能となる。具体的に言えば、図４に示した電子番組表のように、現在の日時が１０月２８日（土）で午前９時１３分のとき日時指定切換画面に切り換えられると、その日時指定切換画面では、図１０に示すように、現在を含む水平方向の８日分の日付が１０月２８日（土）〜１１月４日（土）となり、その範囲の日時が単位指定領域７３単位で選択可能となる。
【００７５】
ただし、既に過去になった時間帯の単位指定領域７３、つまり、図１０では１０月２８日の午前９時以前の領域においては、リモートコントローラ１７のカーソルキー１７ｆを操作しても単位指定領域７３が選択されないようになっている。この場合、選択可能な単位指定領域７３と選択不可能な単位指定領域７３とは、色を変えて表示されるが、図１０では、選択不可能な単位指定領域７３を斜めのクロス線で示している。
【００７６】
また、番組情報がまだ取得されず電子番組表が作成されていない日時範囲、つまり、１１月４日の午前９時以降の領域においても、リモートコントローラ１７のカーソルキー１７ｆを操作しても単位指定領域７３が選択されないようになっている。この場合、１１月４日の午前９時以降の領域には、その翌日である１１月５日の領域とともに、「現在、これ以降の番組情報がありません。」なるメッセージが表示されている。このため、ユーザは、１１月４日の午前９時以降について、電子番組表が作成されていないことを予め認識することができる。
【００７７】
ここで、上記した実施の形態では、番組情報が取得されていない日時について、電子番組表の表示が要求された場合、番組情報が取得されていない旨のメッセージを表示させてユーザに通知するようにしたが、これはメッセージを表示させるだけに限らず、例えば、エラー音や音声ガイド等による警告メッセージを用いることも可能である。
【００７８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７９】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示される電子番組表の一例を説明するために示す図。
【図５】同実施の形態におけるデジタルテレビジョン放送受信装置で表示される電子番組表上でカーソルを移動させた状態を説明するために示す図。
【図６】同実施の形態におけるデジタルテレビジョン放送受信装置で表示される電子番組表に表示されたメッセージの一例を説明するために示す図。
【図７】同実施の形態におけるデジタルテレビジョン放送受信装置で表示される電子番組表に表示されたメッセージの他の例を説明するために示す図。
【図８】同実施の形態におけるデジタルテレビジョン放送受信装置で表示される電子番組表にメッセージを表示する他の例を説明するために示す図。
【図９】同実施の形態におけるデジタルテレビジョン放送受信装置が電子番組表を表示する動作の要部を説明するために示すフローチャート。
【図１０】同実施の形態におけるデジタルテレビジョン放送受信装置で表示される電子番組表に表示された日時指定切換画面の一例を説明するために示す図。
【符号の説明】
【００８０】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…単位指定領域。
【図１】
2008219162.tif 000003
【図２】
2008219162.tif 000004
【図３】
2008219162.tif 000005
【図４】
2008219162.tif 000006
【図５】
2008219162.tif 000007
【図６】
2008219162.tif 000008
【図７】
2008219162.tif 000009
【図８】
2008219162.tif 000010
【図９】
2008219162.tif 000011
【図１０】
2008219162.tif 000012